(57)【要約】【課題】原稿の画像読取時に、メモリの空き容量の増量をするためのユーザの待ち時間を短縮する。【解決手段】原稿の読み取り開始の指示を受け付ける第一の受付手段と、第一の受付手段が読み取り開始の指示を受け付けた場合に、原稿から画像を読み取る読取手段と、読み取った画像のデータをメモリに記憶する記憶手段と、メモリが記憶している既存データと組み合わせて一つのジョブにする、次原稿の画像データが有るか否かについて、ユーザの指示を受け付ける第二の受付手段と、第二の受付手段によって次原稿が有るとのユーザの指示を受け付けること、を少なくとも一つの条件とする規定条件を満たすか否か判別する判別手段と、判別手段が、規定条件を満たすと判別した場合は、メモリの空き容量の増量を行い、規定条件を満たさないと判別した場合は、メモリの空き容量の増量を行わない増量手段とを備える。【選択図】        図４
2013110681.tif 000002
【特許請求の範囲】
【請求項１】
原稿の読み取り開始の指示を受け付ける第一の受付手段と、
前記第一の受付手段が読み取り開始の指示を受け付けた場合に、原稿から画像を読み取る読取手段と、
読み取った画像のデータをメモリに記憶する記憶手段と、
前記メモリが記憶している既存データと組み合わせて一つのジョブにする、次原稿の画像データが有るか否かについて、ユーザの指示を受け付ける第二の受付手段と、
前記第二の受付手段によって次原稿が有るとのユーザの指示を受け付けること、を少なくとも一つの条件とする規定条件を満たすか否か判別する判別手段と、
前記判別手段が、前記規定条件を満たすと判別した場合は、前記メモリの空き容量の増量を行い、前記規定条件を満たさないと判別した場合は、前記メモリの空き容量の増量を行わない増量手段と
を備える画像処理装置。
【請求項２】
請求項１に記載の画像処理装置において、
前記メモリの空き容量が規定値より小さいか否か判断する判断手段を備え、
前記規定条件は、前記判断手段が、前記メモリの空き容量が規定値より小さいと判断することを一つの条件とする、ことを特徴とする画像処理装置。
【請求項３】
請求項２に記載の画像処理装置において、
原稿の画像データの大きさを計算する計算手段を備え、
前記規定値が、原稿の画像データの大きさに相当する値である、ことを特徴とする画像処理装置。
【請求項４】
請求項３に記載の画像処理装置において、
前記読取手段が原稿の画像を読み取る際の読取条件を特定する特定手段を備え、
前記計算手段は、原稿の画像データの大きさを、少なくとも特定手段によって特定された読取条件を用いて計算する、ことを特徴とする画像処理装置。
【請求項５】
請求項３または請求項４に記載の画像処理装置において、
前記計算手段は、原稿の画像データの大きさを、少なくとも既存データの大きさを用いて計算する、ことを特徴とする画像処理装置。
【請求項６】
請求項１から請求項５のいずれかに記載の画像処理装置において、
前記メモリの空き容量を増量するか否かのユーザの指示を受け付ける第三の受付手段を備え、
前記規定条件は、前記第三の受付手段が、前記メモリの空き容量を増量するという指示を受け付けたことを一つの条件とする、ことを特徴とする画像処理装置。
【請求項７】
請求項１から請求項６のいずれかに記載の画像処理装置において、
前記増量手段は、既存データの圧縮を行って前記メモリの空き容量を増量する、ことを特徴とする画像処理装置。
【請求項８】
請求項７に記載の画像処理装置において、
前記記憶手段は、
前記増量手段によって既存データの圧縮が行われた場合は、次原稿の画像データを圧縮して記憶し、前記増量手段によって既存データの圧縮が行われない場合は、次原稿の画像データは圧縮せずに記憶する、ことを特徴とする画像処理装置。
【請求項９】
請求項１から請求項８のいずれかに記載の画像処理装置において、
既存データを出力する出力手段を備え、
前記増量手段は、前記出力手段により既存データを出力して前記メモリの空き容量を増量する、ことを特徴とする画像処理装置。
【発明の詳細な説明】
【技術分野】
【０００１】
本発明は、画像処理装置に関する。さらに詳細には、複数枚の原稿の画像データを順次記憶し、組み合わせて一つのジョブとして出力することが可能な画像処理装置に関するものである。
【背景技術】
【０００２】
従来、読み取った複数枚の原稿の画像データを全て記憶し、組み合わせて一つのジョブとして出力することが広く行われている。例えば、読み取った画像データをまとめて出力するＦＡＸ送信や、部数ごとにまとめて印刷するソートコピーなどである。このような場合、原稿がメモリに記憶できないときは、それまでに読み取った原稿データを破棄するか、一旦出力してメモリの空き容量の増量が行われている。
【先行技術文献】
【特許文献】
【０００３】
【特許文献１】特開平７−２３６０４２
【発明の概要】
【発明が解決しようとする課題】
【０００４】
しかしながら、従来はメモリの空き容量を増量させるために時間がかかり、その間ユーザを待たせてしまっていた。
【０００５】
本発明は、上述した問題点を解決するためになされたものであり、メモリの空き容量を増量させるための、ユーザの待ち時間を短縮することができる画像処理装置を提供することを目的とする。
【課題を解決するための手段】
【０００６】
この目的を達成するために、第１の発明に係る画像処理装置は、原稿の読み取り開始の指示を受け付ける第一の受付手段と、前記第一の受付手段が読み取り開始の指示を受け付けた場合に、原稿から画像を読み取る読取手段と、読み取った画像のデータをメモリに記憶する記憶手段と、前記メモリが記憶している既存データと組み合わせて一つのジョブにする、次原稿の画像データが有るか否かについて、ユーザの指示を受け付ける第二の受付手段と、前記第二の受付手段によって次原稿が有るとのユーザの指示を受け付けること、を少なくとも一つの条件とする規定条件を満たすか否か判別する判別手段と、前記判別手段が、前記規定条件を満たすと判別した場合は、前記メモリの空き容量の増量を行い、前記規定条件を満たさないと判別した場合は、前記メモリの空き容量の増量を行わない増量手段とを備える。
【０００７】
第１の発明によれば、次原稿が有るとのユーザの指示を受け付けることを少なくとも一つの条件とする規定条件を満たす場合に、メモリの空き容量を増量し、規定条件を満たさない場合にメモリの空き容量を増量しないことができる。
【０００８】
また、第２の発明に係る画像処理装置は、前記メモリの空き容量が規定値より小さいか否か判断する判断手段を備え、前記規定条件は、前記判断手段が、前記メモリの空き容量が規定値より小さいと判断することを一つの条件とする、ことを特徴とする。
【０００９】
第２の発明によれば、メモリの空き容量が規定値より小さいか否かを規定条件の一つとすることができる。つまり、メモリの空き容量が、規定値より小さい場合は空き容量を増量し、規定値より小さくない場合は空き容量は増量しないことができる。
【００１０】
また、第３の発明にかかる画像処理装置は、原稿の画像データの大きさを計算する計算手段を備え、前記規定値が、原稿の画像データの大きさに相当する値である、ことを特徴とする。
【００１１】
第３の発明によれば、原稿の画像データの大きさに相当する値を計算し、その値を規定値として用いることができる。
【００１２】
また、第４の発明にかかる画像処理装置は、前記読取手段が原稿の画像を読み取る際の読取条件を特定する特定手段を備え、前記計算手段は、原稿の画像データの大きさを、少なくとも特定手段によって特定された読取条件を用いて計算する、ことを特徴とする。
【００１３】
第４の発明によれば、原稿の画像を読み取る際の読取条件を特定し、少なくとも特定された読取条件を用いて、原稿の画像データの大きさを計算することができる。つまり、原稿の画像データを記憶するメモリの空き容量がない場合に、空き容量の増量を行うことができる。
【００１４】
第５の発明にかかる画像処理装置は、前記計算手段は、原稿の画像データの大きさを、少なくとも既存データの大きさを用いて計算する、ことを特徴とする。
【００１５】
また、第５の発明によれば、原稿の画像データの大きさを、少なくとも既存データの大きさを用いて計算することができる。
【００１６】
また、第６の発明にかかる画像処理装置は、前記メモリの空き容量を増量するか否かのユーザの指示を受け付ける第三の受付手段を備え、前記規定条件は、前記第三の受付手段が、前記メモリの空き容量を増量するという指示を受け付けたことを一つの条件とする、ことを特徴とする。
【００１７】
第６の発明によれば、メモリの空き容量を増量するとユーザに指示されたことを、規定条件の一つとすることができる。つまり、メモリの空き容量を増量するとユーザに指示された場合に空き容量を増量し、空き容量を増量しないと指示を受けた場合は、空き容量は増量しないことができる。
【００１８】
また、第７の発明にかかる画像処理装置は、前記増量手段は、既存データの圧縮を行って前記メモリの空き容量を増量する、ことを特徴とする。
【００１９】
第７の発明によれば、既存データの圧縮を行うことでメモリの空き容量を増量することができる。
【００２０】
また、第８の発明にかかる画像処理装置は、前記記憶手段は、前記増量手段によって既存データの圧縮が行われた場合は、次原稿の画像データを圧縮して記憶し、前記増量手段によって既存データの圧縮が行われない場合は、次原稿の画像データは圧縮せずに記憶する、ことを特徴とする。
【００２１】
第８の発明によれば、既存データの圧縮が行われた場合は、次原稿の画像データも圧縮して記憶し、既存データの圧縮が行われない場合は、次原稿の画像データは圧縮せずに記憶することができる。
【００２２】
また、第９の発明にかかる画像処理装置は、既存データを出力する出力手段を備え、前記増量手段は、前記出力手段により既存データを出力して前記メモリの空き容量を増量する、ことを特徴とする。
【００２３】
第９の発明によれば、既存データを出力することにより、メモリの空き容量を増量することができる。
【発明の効果】
【００２４】
本発明によれば、次の原稿が有ることを少なくとも一つの条件として、メモリの空き容量を増量させることができる画像処理装置が実現される。
【図面の簡単な説明】
【００２５】
【図１】実施の形態にかかるＭＦＰの外観を示す図である。
【図２】ＭＦＰの画像読取部の構成を示す断面図である。
【図３】実施の形態にかかるＭＦＰの電気的構成を示すブロック図である。
【図４】第１の実施形態における連続読取処理の手順を示すフローチャートである。
【図５】第２の実施形態における連続読取処理の手順を示すフローチャートである。
【発明を実施するための形態】
【００２６】
以下、本発明にかかる画像処理装置を具体化した実施の形態について、添付図面を参照しつつ詳細に説明する。本実施形態は、スキャン機能、プリント機能、およびＦＡＸ送受信機能を備えた複合機（ＭＦＰ：Ｍｕｌｔｉ  Ｆｕｎｃｔｉｏｎ  Ｐｅｒｉｐｈｅｒａｌ）に本発明を適用したものである。
【００２７】
［ＭＦＰの構成］
本実施形態のＭＦＰ１００は、図１に示すように、用紙に画像を印刷する画像形成部１０（出力手段の一例）と、原稿の画像を読み取る画像読取部２０（読取手段の一例）とを備えている。なお、画像形成部１０の画像形成方式は、電子写真方式であっても、インクジェット方式であってもよい。また、画像形成部１０は、カラー画像及びモノクロ画像の形成が可能であってもよいし、モノクロ画像のみの形成が可能であってもよい。さらに、画像読取部２０は、カラー画像及びモノクロ画像の読み取りが可能であってもよいし、モノクロ画像のみの読み取りが可能であってもよい。
【００２８】
画像読取部２０には、前面側に、液晶ディスプレイからなる表示部４１、各種のボタン（例えば、スタートキー４３，ストップキー，テンキーの各ボタン）によって構成されるボタン群４２等を備えた操作パネル４０（第一の受付手段，第二の受付手段，第三の受付手段の一例）が設けられている。ＭＦＰ１００では、この表示部４１やボタン群４２により、動作状況の表示やユーザによる入力が可能になっている。
【００２９】
［画像読取部の構成］
画像読取部２０は、図２に示すように、原稿（例えば図２中の原稿９０）の画像の読み取りを行うスキャナ部２１と、原稿の自動搬送を行うＡＤＦ（Ａｕｔｏ  Ｄｏｃｕｍｅｎｔ  Ｆｅｅｄｅｒ：自動原稿供給装置）２２とを備えている。
【００３０】
スキャナ部２１は、その上面に位置する透明なプラテンガラス２３、２４と、その内部に位置するイメージセンサ２５とを備えている。イメージセンサ２５は、ＡＤＦ２２によって原稿が自動搬送される際には、プラテンガラス２３下に固定され、原稿の画像を読み取る。また、イメージセンサ２５は、原稿がプラテンガラス２４上に載置される際には、副走査方向（図２の矢印Ａ方向）に移動して、原稿の画像を読み取る。
【００３１】
ＡＤＦ２２は、読み取り前の原稿を載置する原稿トレイ２２１と、読み取り後の原稿を載置する排出トレイ２２２とを備えている。ＡＤＦ２２は、原稿トレイ２２１に載置された原稿を１枚ずつ取り出し、搬送路２２３を介してプラテンガラス２３に対向する位置に搬送する。そして、イメージセンサ２５が主走査方向に１ラインずつ原稿の画像を読み取る。その後、その原稿を排出トレイ２２２上に排出する。
【００３２】
［ＭＦＰの電気的構成］
続いて、ＭＦＰ１００の電気的構成について説明する。ＭＦＰ１００は、図３に示すように、ＣＰＵ３１（判別手段、増量手段，判断手段，特定手段，計算手段の一例）と、ＲＯＭ３２と、ＲＡＭ３３（記憶手段の一例）と、ＮＶＲＡＭ（Ｎｏｎ  Ｖｏｌａｔｉｌｅ  ＲＡＭ）３４とを備えた制御部３０を備えている。また、制御部３０は、画像形成部１０と、画像読取部２０と、操作パネル４０と、ネットワークインターフェース３７とに、電気的に接続されている。
【００３３】
ＲＯＭ３２には、ＭＦＰ１００を制御するための制御プログラムであるファームウェアや各種設定、初期値等が記憶されている。ＲＡＭ３３及びＮＶＲＡＭ３４は、各種制御プログラムが読み出される作業領域として、あるいは読み取った画像データを一時的に記憶する記憶領域として利用される。
【００３４】
ＣＰＵ３１は、ＲＯＭ３２から読み出した制御プログラムや各種センサから送られる信号に従って、その処理結果をＲＡＭ３３またはＮＶＲＡＭ３４に記憶させながら、ＭＦＰ１００の各構成要素を制御する。
【００３５】
ネットワークインターフェース３７は、他の装置との通信を可能にするインターフェースである。ＭＦＰ１００は、ネットワークインターフェース３７を介して他の装置へ読み取った画像データを送信する。
【００３６】
［ＭＦＰの制御］
続いて、ＭＦＰ１００の制御について説明する。ＭＦＰ１００は、読み取った原稿の画像データを順次記憶し、組み合わせて一つのジョブとする連続読取モードを有する。この連続読取モードは、例えば読み取った画像データを全て記憶し、まとめて送信するＦＡＸ送信や、部数ごとに印刷するソートコピーといった、原稿の画像データを順次記憶して組み合わせ、一つのジョブにして、その後出力する場合に好適である。
【００３７】
なお、連続読取モードでない場合は、非連続読取モードが実行される。非連続読取モードは、一般的な読み取り、すなわち読み取った原稿の画像データを順次記憶し、組み合わせて一つのジョブにすることなく、そのまま順次出力する場合に用いる。
【００３８】
［連続読取処理］
［第１の実施形態］
以下、第１の実施形態に関する連続読取処理について、図４のフローチャートを参照しつつ説明する。
【００３９】
第１の実施形態の連続読取処理は、操作パネル４０の操作を介して連続読取モードの実行指示が入力されると、ＣＰＵ３１によって実行が開始される。
【００４０】
Ｓ１００にてスタートキー４３の押下が検出されると（Ｓ１００：Ｙｅｓ、第一の受付手段の一例）、Ｓ１０１にて画像読取部２０が、ユーザによってセットされている原稿の画像を読み取る（読取手段の一例）。原稿は、ＡＤＦ２０にセットされていてもよいし、プラテンガラス２４にセットされていてもよい。
【００４１】
一方、Ｓ１００にてスタートキー４３の押下が検出されない場合は（Ｓ１００：Ｎｏ）、ＣＰＵ３１は再びＳ１００に戻ってスタートキー４３の押下が検出されるまで待機する。
【００４２】
そして、ＣＰＵ３１はＳ１０１にて読み取った原稿の画像データを、ＲＡＭ３３に記憶する（Ｓ１０２、記憶手段の一例）。
【００４３】
後述するＳ１０３，Ｓ１０５，Ｓ１０６においては、ＲＡＭ３３が記憶している既存データと組み合わせて一つのジョブにする次原稿の画像データが有ること、を少なくとも一つの条件とする規定条件を満たすか否かをＣＰＵ３１が判別する（判別手段の一例）。
【００４４】
まずＳ１０３にて、操作パネル４０からの指示により（第二の受付手段の一例）、ＲＡＭ３３が記憶している既存の画像データと組み合わせて一つのジョブにする次原稿の画像データがあるか否かをＣＰＵ３１が判定する。
【００４５】
ここでは、例えば、表示部４１に「次原稿有り？」と表示して、ＲＡＭ３３に記憶されている既存データと組み合わせて一つのジョブにする、次の原稿が有るか否かをユーザに尋ねる通知を行うと望ましい。そして、例えば操作パネル４０のＹｅｓキーが押されて、次の原稿が有ると指示されると（Ｓ１０３：Ｙｅｓ）、ＣＰＵ３１は規定条件のうち少なくとも一つの条件を満たすと判別してＳ１０４へと移行する。
【００４６】
一方、操作パネル４０のＮｏキーが押されて、次原稿の画像データが無いと指示されると（Ｓ１０３：Ｎｏ）、ＣＰＵ３１は規定条件のうち少なくとも一つの条件を満たさないと判別してＳ１０８に移行し、所定出力を行った後、連続読取処理を終了する。
【００４７】
なお、通知方法は表示部４１に表示するものだけに限らない。アナウンスや、ＰＣなどの外部装置に表示して通知してもよい。
【００４８】
また、Ｓ１０８での所定出力とは、例えば、既存データをＦＡＸ送信したり、ＰＣなどの外部装置に出力したり、画像形成部１０によって印刷するなどである。これらの出力形態は予めユーザによって指定されているものであり、従来から一般的に行われている出力形態である。
【００４９】
続いて、Ｓ１０４にて原稿の画像データの大きさをＣＰＵ３１が計算する（計算手段の一例）。ここでは、ＣＰＵ３１が、少なくとも原稿の画像を読み取る読取条件か既存データのどちらかを用いて計算する。読取条件は、ＣＰＵ３１が特定する（特定手段の一例）。
【００５０】
読取条件を用いて計算する場合、例えば読み取り範囲がＡ４で、カラー読み取りという読取条件が特定されたら、それに基づいて原稿の画像データの大きさに相当する値を計算する。ここでの読取条件は、ユーザから指定されたものでも自動認識でもよい。例えば、ユーザから操作パネル４０を介して、読取範囲はＡ４であると指定されていてもよいし、プラテンガラス２４を用いた読み取りであれば、一旦画像読取部２０を走査して原稿サイズを自動認識してもよい。
【００５１】
既存データを用いて計算する場合、原稿の画像データの大きさに相当する値は、例えば直前の原稿のデータの大きさに相当する値でもよいし、既存データのうちデータの大きさが最大のものに相当する値であってもよい。また、既存データの原稿１枚あたりのデータの大きさの平均値でもよい。これらにより、ＡＤＦを用いた読み取りのように、原稿サイズを自動認識できないものでも、原稿の画像データの大きさに相当する値が計算できる。
【００５２】
そして、Ｓ１０５にてＣＰＵ３１がＲＡＭ３３の空き容量が規定値より小さいか判断する（判断手段の一例）。例えば、規定値が原稿の画像データの大きさに相当する値だった場合、ＲＡＭ３３の空き容量が、Ｓ１０４にて計算された原稿の画像データの大きさに相当する値より小さいか否かを判断する。
【００５３】
なお、Ｓ１０４の処理は行わず、Ｓ１０３の後にＳ１０５に移行してもよい。この場合、Ｓ１０４にて原稿の画像データの大きさに相当する値は計算せず、規定値には一定値を用いる。すなわち、例えば、ＲＡＭ３３容量の２０％に相当する値を規定値として用いることが予め決められている。
【００５４】
Ｓ１０５にて、ＲＡＭ３３の空き容量が規定値より小さくないと判断されたら（Ｓ１０５：Ｎｏ）、ＣＰＵ３１は規定条件のうちの一つを満たさないと判別してＳ１００に戻り、Ｓ１００にてスタートキー４３の押下が検出されるまで待機する。一方、Ｓ１０５にてＲＡＭ３３の空き容量が規定値より小さいと判断されたら（Ｓ１０５：Ｙｅｓ）、ＣＰＵ３１は規定条件のうちの一つを満たすと判別してＳ１０６へと移行する。
【００５５】
Ｓ１０６ではＲＡＭ３３の空き容量を増量するか否かが、操作パネル４０から指示される（第三の受付手段の一例）。ここでは、例えば表示部４１に「メモリの空き容量を増量？」と表示して、ＲＡＭ３３の空き容量を増量するか否かをユーザに尋ねる通知をすると望ましい。
【００５６】
ここで、例えば、Ｎｏキーが押されたら（Ｓ１０５：Ｎｏ）、ＣＰＵ３１は規定条件のうちの一つを満たさないと判別し、Ｓ１０８へと移行して所定出力を行った後、連続読取処理を終了する。一方、Ｙｅｓキーが押されたら（Ｓ１０５：Ｙｅｓ）、ＣＰＵ３１は規定条件のうちの一つを満たすと判別してＳ１０７へと移行し、ＣＰＵ３１がＲＡＭ３３の空き容量を増量する（増量手段の一例）。これにより、ユーザが意図したときに、ＲＡＭ３３の空き容量を増量することができる。
【００５７】
Ｓ１０７において、空き容量を増量する方法としては、例えばＲＡＭ３３に記憶されている既存データを圧縮してＲＡＭ３３の空き容量を増量する。また、空き容量を増量させる方法は圧縮に限らず、例えば、ＲＡＭ３３の既存データを、ＰＣなどの外部装置に送ったり、画像形成部１０により印刷したりした後（出力手段の一例）、ＲＡＭ３３から消去して空き容量を増量させてもよい。これにより、空き容量を確実に増量できることが期待される。
【００５８】
なお、Ｓ１０６の処理は行わなくてもよい。この場合、Ｓ１０５にての空き容量が規定値より小さいと判断されたら、Ｓ１０７に移行して、ＲＡＭ３３の空き容量を増量する。これにより、空き容量が規定値より小さいときに、空き容量を増量することができる。
【００５９】
Ｓ１０７にてＲＡＭ３３の空き容量を増量したら、Ｓ１００に戻り、スタートキー４３の押下が検出されるまで待機し、それ以降Ｓ１０１からＳ１０７の処理を繰り返す。そして、Ｓ１０２においては、Ｓ１０１にて新しく読み取った画像データをＲＡＭ３３の既存データと組み合わせ、一つのジョブにして記憶する。
【００６０】
上記第一の実施形態では、読み取った画像データをＲＡＭ３３に記憶したが、これはＮＶＲＡＭ３４に記憶してもよい。
【００６１】
また、上記第一の実施形態では、Ｓ１０３，Ｓ１０５，Ｓ１０６において規定条件を満たすか否かを判別した。しかし、規定条件は、Ｓ１０３にて次原稿の画像データが有ると指示を受けることを少なくとも一つの条件とすればよい。つまり、Ｓ１０５とＳ１０６の処理は行わなくてもよい。
【００６２】
この場合、少なくともＳ１０３にて次原稿の画像データが有ると指示を受け付けたら（Ｓ１０３：Ｙｅｓ）、規定条件を満たすと判別してＳ１０７に移行し、空き容量の増量を行う。
【００６３】
以上記述したように、第一の実施形態によれば、少なくとも次原稿の画像データが有ると指示を受け付けた（Ｓ１０３：Ｙｅｓ）ことを条件に、空き容量の増量を行うことが可能である。そのため、画像を読み取ってから空き容量を増量する場合に比べて、早い段階から空き容量を増量させることができる。つまり、空き容量の増量のために、ユーザを待たせる時間を短縮することが期待できる。
【００６４】
［第２の実施形態］
続いて、連続読取処理の別実施形態について、図５を参照しつつ説明する。本実施形態の連続読取処理では、空き容量の増量方法として既存データの圧縮を行い、圧縮がそれ以前に行われていたら、次原稿のデータも圧縮して記憶する。この点、ＲＡＭ３３の空き容量の増量方法が圧縮に限らず、また空き容量の増量以降も記憶するデータ形式が変わらない第１の実施形態とは異なる。なお、第１の実施形態と同じ処理については、第１の実施形態同じ符号を付し、説明を省略する。
【００６５】
第２の実施形態の連続読取処理では、Ｓ１００からＳ１０１までの処理、Ｓ１０３からＳ１０８までの処理は、第１の実施形態と同様である。ただし、Ｓ１０７において、既存データを圧縮することにより、空き容量を増量する。
【００６６】
Ｓ１０１にて原稿の画像が読み取られた後、Ｓ２００にて空き容量の増量、つまり既存データの圧縮が実行済みか否かをＣＰＵ３１が判定する。Ｓ２００にて既存データの圧縮が実行済みでないと判定されたら（Ｓ２００：Ｎｏ）、図４のＳ１０２と同じく読み取った画像を圧縮せずにそのまま記憶する（Ｓ２０１）。
【００６７】
一方、既存データの圧縮が実行済みと判定されたら（Ｓ２００：Ｙｅｓ）、Ｓ１０５にて圧縮された既存データと同じ圧縮形式で記憶する（Ｓ２０２）。これにより、既存データの再圧縮を、すぐに行わなければいけなくなる可能性を抑えられる。
【００６８】
前述したように、第２の実施形態では、過去に圧縮が実行済みだったら次原稿データも圧縮して記憶する。そのため、既存データの再圧縮によるユーザの無駄な待ち時間を短縮できることが期待される。
【００６９】
なお、本実施形態は単なる例示にすぎず、本発明を何ら限定するものではない。したがって本発明は当然に、その要旨を逸脱しない範囲内で種々の改良、変形が可能である。
【００７０】
例えば、ＭＦＰに限らず、複写機等、画像読取機能を備えるものであれば適用可能である。
【００７１】
また、上記実施形態では、１つのＣＰＵ３１が印刷処理及び補正処理を全て実行したが本発明はこれに限られず、複数のＣＰＵや、専用回路ＡＳＩＣ（Ａｐｐｌｉｃａｔｉｏｎ
Ｓｐｅｃｉｆｉｃ  Ｉｎｔｅｇｒａｔｅｄ  Ｃｉｒｃｕｉｔ）などで実行してもよい。例えば、連続読取処理中の規定条件を満たすか否かの判別と、空き容量の増量を別々のＣＰＵに実行させてもよい。また、原稿の画像データの計算，次原稿有無の判断，読取条件の特定を別々のＣＰＵに実行させてもよい。
【符号の説明】
【００７２】
１０    画像形成部
２０    画像読取部
３１    ＣＰＵ
３３    ＲＡＭ
３４    ＮＶＲＡＭ
４０    操作パネル
４３    スタートキー
９０    原稿
９１    用紙
１００  ＭＦＰ
【図１】
2013110681.tif 000003
【図２】
2013110681.tif 000004
【図３】
2013110681.tif 000005
【図４】
2013110681.tif 000006
【図５】
2013110681.tif 000007